(57)【要約】【課題】不特定多数の利用者が利用するアプリケーションを推奨すること。【解決手段】本発明の集計システムは、複数の携帯端末と、集計サーバと、を有する。集計サーバは、複数の携帯端末の各々にて利用された利用アプリケーションのデータを集計し、該集計結果に基づいて、利用アプリケーションの中から携帯端末に利用を推奨する推奨アプリケーションを決定する第１の集計部と、第１の集計部にて決定された推奨アプリケーションの識別情報を携帯端末に送信する第１の通信部と、を有する。【選択図】図１
2012203536.tif 000002
【特許請求の範囲】
【請求項１】
複数の携帯端末と、
集計サーバと、を有し、
前記集計サーバは、
前記複数の携帯端末の各々にて利用された利用アプリケーションのデータを集計し、該集計結果に基づいて、前記利用アプリケーションの中から前記携帯端末に利用を推奨する推奨アプリケーションを決定する第１の集計部と、
前記第１の集計部にて決定された前記推奨アプリケーションの識別情報を前記携帯端末に送信する第１の通信部と、を有する、集計システム。
【請求項２】
前記複数の携帯端末の各々は、
自己の携帯端末にて利用された前記利用アプリケーション毎に、当該利用アプリケーションの利用時間中または当該利用時間の前後の一定時間中に利用された他のアプリケーションのデータを集計する第２の集計部と、
前記第２の集計部にて集計された前記他のアプリケーションのデータを前記集計サーバに送信する第２の通信部と、を有し、
前記第１の集計部は、
前記利用アプリケーション毎に、前記複数の携帯端末の各々にて集計された前記他のアプリケーションのデータを集計し、該集計結果に基づいて、当該他のアプリケーションの中から当該利用アプリケーションと共に利用することを推奨する前記推奨アプリケーションを決定し、
前記第１の通信部は、
前記第１の集計部にて決定された前記利用アプリケーション毎の前記推奨アプリケーションの識別情報を前記携帯端末に送信する、集計システム。
【請求項３】
前記複数の携帯端末の各々は、
自己の携帯端末にて利用アプリケーションが利用された場合、当該利用アプリケーションと共に利用することを推奨する前記推奨アプリケーションを所定の態様で表示する表示部をさらに有する、請求項２に記載の集計システム。
【請求項４】
前記第２の集計部は、
前記利用アプリケーション毎に、前記他のアプリケーションに対してポイントを加算し、該加算したポイントを集計し、
前記第１の集計部は、
前記利用アプリケーション毎に、前記複数の携帯端末の各々にて集計された前記他のアプリケーションのポイントを集計する、請求項２または３に記載の集計システム。
【請求項５】
前記第２の集計部は、
前記他のアプリケーションに対し、固定のポイントを加算する、請求項４に記載の集計システム。
【請求項６】
前記第２の集計部は、
前記他のアプリケーションに対し、前記利用アプリケーションの利用時間および当該利用時間の前後の一定時間と当該他のアプリケーションの利用時間とが重複する時間に応じたポイントを加算する、請求項４に記載の集計システム。
【請求項７】
前記第１の集計部は、
前記利用アプリケーション毎に、前記他のアプリケーションのうち前記複数の携帯端末の各々にて集計されたポイントを集計した集計ポイントが多い上位所定数分のアプリケーションを、前記推奨アプリケーションと決定する、請求項４から６のいずれか１項に記載の集計システム。
【請求項８】
携帯端末であって、
自己の携帯端末にて利用された利用アプリケーションのデータを集計する集計部と、
前記集計部にて集計された前記利用アプリケーションのデータを集計サーバに送信すると共に、自己の携帯端末を含む複数の携帯端末の各々にて利用された前記利用アプリケーションの中から決定された、自己の携帯端末に利用を推奨する推奨アプリケーションの識別情報を、前記集計サーバから受信する通信部と、を有する携帯端末。
【請求項９】
前記集計部は、
自己の携帯端末にて利用された前記利用アプリケーション毎に、当該利用アプリケーションの利用時間中または当該利用時間の前後の一定時間中に利用された他のアプリケーションのデータを集計し、
前記通信部は、
前記集計部にて集計された前記他のアプリケーションのデータを前記集計サーバに送信し、
前記複数の携帯端末の各々にて利用された前記利用アプリケーション毎に、前記複数の携帯端末の各々にて集計された前記他のアプリケーションの中から決定された、当該利用アプリケーションと共に利用することを推奨する前記推奨アプリケーションの識別情報を、前記集計サーバから受信する、携帯端末。
【請求項１０】
自己の携帯端末にて利用アプリケーションが利用された場合、当該利用アプリケーションと共に利用することを推奨する前記推奨アプリケーションを所定の態様で表示する表示部をさらに有する、請求項９に記載の携帯端末。
【請求項１１】
前記集計部は、
前記利用アプリケーション毎に、前記他のアプリケーションに対してポイントを加算し、該加算したポイントを集計する、請求項９または１０に記載の携帯端末。
【請求項１２】
前記集計部は、
前記他のアプリケーションに対し、固定のポイントを加算する、請求項１１に記載の携帯端末。
【請求項１３】
前記集計部は、
前記他のアプリケーションに対し、前記利用アプリケーションの利用時間および当該利用時間の前後の一定時間と当該他のアプリケーションの利用時間とが重複する時間に応じたポイントを加算する、請求項１１に記載の携帯端末。
【請求項１４】
複数の携帯端末の各々にて利用された利用アプリケーションのデータを集計し、該集計結果に基づいて、前記利用アプリケーションの中から前記携帯端末に利用を推奨する推奨アプリケーションを決定する集計部と、
前記集計部にて決定された前記推奨アプリケーションの識別情報を前記携帯端末に送信する通信部と、を有する集計サーバ。
【請求項１５】
前記通信部は、
前記複数の携帯端末の各々から、当該携帯端末にて利用された前記利用アプリケーション毎に、当該利用アプリケーションの利用時間中または当該利用時間の前後の一定時間中に利用された他のアプリケーションのデータを受信し、
前記集計部は、
前記複数の携帯端末の各々にて利用された前記利用アプリケーション毎に、前記複数の携帯端末の各々から受信した前記他のアプリケーションのデータを集計し、該集計結果に基づいて、当該他のアプリケーションの中から、当該利用アプリケーションと共に利用することを推奨する前記推奨アプリケーションを決定し、
前記通信部は、
前記集計部にて決定された前記利用アプリケーション毎の前記推奨アプリケーションの識別情報を前記携帯端末に送信する、集計サーバ。
【請求項１６】
前記通信部は、
前記複数の携帯端末の各々から、前記利用アプリケーション毎に、前記他のアプリケーションに対して加算したポイントのデータを受信し、
前記集計部は、
前記利用アプリケーション毎に、前記複数の携帯端末の各々から受信した前記他のアプリケーションのポイントを集計する、請求項１５に記載の集計サーバ。
【請求項１７】
前記集計部は、
前記利用アプリケーション毎に、前記他のアプリケーションのうち前記複数の携帯端末の各々から受信したポイントを集計した集計ポイントが多い上位所定数分のアプリケーションを、前記推奨アプリケーションと決定する、請求項１６に記載の集計サーバ。
【請求項１８】
携帯端末が行う集計方法であって、
自己の携帯端末にて利用された利用アプリケーションのデータを集計し、
前記集計された前記利用アプリケーションのデータを集計サーバに送信し、
自己の携帯端末を含む複数の携帯端末の各々にて利用された前記利用アプリケーションの中から決定された、自己の携帯端末に利用を推奨する推奨アプリケーションの識別情報を、前記集計サーバから受信する、集計方法。
【請求項１９】
集計サーバが行う集計方法であって、
複数の携帯端末の各々にて利用された利用アプリケーションのデータを集計し、該集計結果に基づいて、前記利用アプリケーションの中から前記携帯端末に利用を推奨する推奨アプリケーションを決定し、
前記決定された前記推奨アプリケーションの識別情報を前記携帯端末に送信する、集計方法。
【発明の詳細な説明】
【技術分野】
【０００１】
本発明は、複数の携帯端末で利用されたアプリケーションのデータを集計するための技術に関する。
【背景技術】
【０００２】
最近の携帯端末では、インターネットブラウザや音楽プレーヤー等の複数のアプリケーション（以下、適宜「アプリ」と称す）が利用可能である。
【０００３】
特許文献１には、携帯端末が、その携帯端末で利用するアプリのデータを時間帯別に保存しておき、アプリを利用する際には、アプリを利用する時間帯の利用頻度の高い順番に、アプリのアイコンを表示する技術が記載されている。
【０００４】
また、特許文献１には、サーバが、携帯端末で利用する画面デザインのテンプレートのデータを保存し、その携帯端末を使用する利用者が、その携帯端末もしくは他の携帯端末を用いて、利用頻度の高いテンプレートをサーバからダウンロードする技術も記載されている。
【先行技術文献】
【特許文献】
【０００５】
【特許文献１】特開２００８−１１８３４６号公報
【発明の概要】
【発明が解決しようとする課題】
【０００６】
しかしながら、特許文献１に記載の技術は、携帯端末を使用する利用者に対し、その利用者が利用するアプリやテンプレートを推奨することはできるものの、その利用者以外の他の利用者が利用するアプリを推奨することはできないという課題がある。
【０００７】
そこで、本発明の目的は、上述した課題を解決し、携帯端末を使用する利用者に対し、その利用者以外の他の利用者が利用するアプリケーションを推奨することができる集計システム、携帯端末、集計サーバ、集計方法を提供することにある。
【課題を解決するための手段】
【０００８】
本発明の集計システムは、
複数の携帯端末と、
集計サーバと、を有し、
前記集計サーバは、
前記複数の携帯端末の各々にて利用された利用アプリケーションのデータを集計し、該集計結果に基づいて、前記利用アプリケーションの中から前記携帯端末に利用を推奨する推奨アプリケーションを決定する第１の集計部と、
前記第１の集計部にて決定された前記推奨アプリケーションの識別情報を前記携帯端末に送信する第１の通信部と、を有する。
【０００９】
本発明の携帯端末は、
携帯端末であって、
自己の携帯端末にて利用された利用アプリケーションのデータを集計する集計部と、
前記集計部にて集計された前記利用アプリケーションのデータを集計サーバに送信すると共に、自己の携帯端末を含む複数の携帯端末の各々にて利用された前記利用アプリケーションの中から決定された、自己の携帯端末に利用を推奨する推奨アプリケーションの識別情報を、前記集計サーバから受信する通信部と、を有する。
【００１０】
本発明の集計サーバは、
複数の携帯端末の各々にて利用された利用アプリケーションのデータを集計し、該集計結果に基づいて、前記利用アプリケーションの中から前記携帯端末に利用を推奨する推奨アプリケーションを決定する集計部と、
前記集計部にて決定された前記推奨アプリケーションの識別情報を前記携帯端末に送信する通信部と、を有する。
【００１１】
本発明の第１の集計方法は、
携帯端末が行う集計方法であって、
自己の携帯端末にて利用された利用アプリケーションのデータを集計し、
前記集計された前記利用アプリケーションのデータを集計サーバに送信し、
自己の携帯端末を含む複数の携帯端末の各々にて利用された前記利用アプリケーションの中から決定された、自己の携帯端末に利用を推奨する推奨アプリケーションの識別情報を、前記集計サーバから受信する。
【００１２】
本発明の第２の集計方法は、
集計サーバが行う集計方法であって、
複数の携帯端末の各々にて利用された利用アプリケーションのデータを集計し、該集計結果に基づいて、前記利用アプリケーションの中から前記携帯端末に利用を推奨する推奨アプリケーションを決定し、
前記決定された前記推奨アプリケーションの識別情報を前記携帯端末に送信する。
【発明の効果】
【００１３】
本発明によれば、携帯端末を使用する利用者に対し、その利用者以外の他の利用者が利用するアプリケーションを推奨することができるという効果が得られる。
【図面の簡単な説明】
【００１４】
【図１】本発明の一実施形態の集計システムの全体構成の一例を示す図である。
【図２】図１に示した携帯端末の構成の一例を示すブロック図である。
【図３】図１に示した集計サーバの構成の一例を示すブロック図である。
【図４】図１に示した携帯端末が、利用アプリと同時に利用している他のアプリのデータを集計する場合の動作の一具体例を説明する図である。
【図５】図１に示した集計サーバが、携帯端末にて集計されたデータを集計する場合の動作の一例を説明するフローチャートである。
【図６】図１に示した集計サーバが、携帯端末にて集計されたデータを集計する場合の動作の一具体例を説明する図である。
【図７】図１に示した集計サーバが、利用アプリ毎の推奨アプリの識別情報を携帯端末に送信する場合の動作の一例を説明するフローチャートである。
【図８】図１に示した携帯端末が推奨アプリのアイコンを表示する場合の動作の一例を説明するフローチャートである。
【図９】図１に示した携帯端末が推奨アプリのアイコンを表示している画面の一例を説明する図である。
【発明を実施するための形態】
【００１５】
以下に、本発明を実施するための形態について図面を参照して説明する。
（１）本実施形態の構成
最初に、本実施形態の構成について説明する。
（１−１）集計システムの構成
まず、本実施形態の集計システムの全体構成について説明する。
【００１６】
図１に示すように、本実施形態の集計システムは、ｎ（ｎは２以上の自然数）台の携帯端末１０−１〜１０−ｎ（以下、どの携帯端末であるかを特定しないときは「携帯端末１０」と称す）と、集計サーバ２０と、を有しており、これらの構成要素はネットワーク３０を介して互いに接続されている。
【００１７】
携帯端末１０は、アプリを利用する。なお、携帯端末１０は、不特定の利用者が使用するものとする。
【００１８】
集計サーバ２０は、ｎ台の携帯端末１０の各々にて利用された利用アプリのデータを集計し、集計結果に基づき決定した、携帯端末１０に利用を推奨する推奨アプリの識別情報を、携帯端末１０に送信する。
【００１９】
なお、本実施形態においては、集計サーバ２０は、ｎ台の携帯端末１０の全てに推奨アプリの識別情報を送信する必要はなく、ｎ台の携帯端末１０の一部（例えば、１台の携帯端末１０）にのみ送信しても良い。
（１−２）携帯端末１０の構成
図２に示すように、携帯端末１０は、記録媒体１１と、集計サーバ接続部１２と、アプリ起動終了確認部１３と、アプリ検索部１４と、集計部１５と、アイコン表示部１６と、を有している。
【００２０】
なお、図２において、集計サーバ接続部１２は、本発明の通信部または第２の通信部に対応するものである。
【００２１】
また、図２において、利用者は、タッチパネルやキーボード等で実現される不図示の操作部を介して、携帯端末１０を操作するものとする。
【００２２】
記録媒体１１は、各種の情報やデータが記録される記憶部である。
【００２３】
集計サーバ接続部１２は、ネットワーク３０を介して集計サーバ２０と接続し、集計サーバ２０と通信を行う。
【００２４】
アプリ起動終了確認部１３は、アプリの起動および終了を確認する。
【００２５】
アプリ検索部１４は、自己の携帯端末１０でアプリ（利用アプリ）が起動された場合、その利用アプリと同時に利用している他のアプリがあるか否かを検索する。
【００２６】
集計部１５は、自己の携帯端末１０にて利用された利用アプリ毎に、その利用アプリと同時に利用している他のアプリ（すなわち、その利用アプリの利用時間中に利用された他のアプリ）のデータを集計する。具体的には、他のアプリにポイントを加算し、加算したポイントを集計する。集計部１５にて集計されたデータは、集計サーバ接続部１２により集計サーバ２０に送信される。
【００２７】
アイコン表示部１６は、自己の携帯端末１０にて利用アプリが利用された場合、その利用アプリと同時に利用する推奨アプリのアイコンを表示する。
（１−３）集計サーバ２０の構成
図３に示すように、集計サーバ２０は、記録媒体２１と、端末接続部２２と、集計部２３と、を有している。なお、図３において、端末接続部２２は、本発明の通信部または第１の通信部に対応するものである。
【００２８】
記録媒体２１は、各種の情報やデータが記録される記憶部である。
【００２９】
端末接続部２２は、ネットワーク３０を介して携帯端末１０と接続し、携帯端末１０と通信を行う。
【００３０】
集計部２３は、ｎ台の携帯端末１０の各々にて利用された利用アプリ毎に、ｎ台の携帯端末１０の各々にて集計された、その利用アプリと同時に利用している他のアプリのデータを集計する。具体的には、他のアプリのポイントを集計する。
【００３１】
そして、集計部２３は、上記の集計結果を基に、利用アプリ毎に、その利用アプリと共に利用することをｎ台の携帯端末１０の各々に推奨する推奨アプリを決定する。集計部２３で決定された利用アプリ毎の推奨アプリの識別情報（例えば、推奨アプリのアプリ名）は、端末接続部２２により携帯端末１０に送信される。
（２）本実施形態の動作
次に、本実施形態の動作について説明する。
（２−１）携帯端末１０のデータ集計動作
まず、ｎ台の携帯端末１０の各々が、利用アプリと同時に利用している他のアプリのデータを集計する場合の動作について説明する。
【００３２】
アプリ起動終了確認部１３は、自己の携帯端末１０にてアプリ（利用アプリ）が起動されたことを確認すると、その利用アプリのアプリ名と起動時間を記録媒体１１に記録すると共に、利用アプリが起動されたことをアプリ検索部１４に通知する。
【００３３】
なお、アプリ起動終了確認部１３は、以降に、自己の携帯端末１０にて利用アプリが終了したことを確認すると、その利用アプリのアプリ名と起動時間に対応付けて、終了時間を記録媒体１１に記録する。
【００３４】
アプリ検索部１４は、記録媒体１１に記録された上記の情報に基づいて、上記で起動された利用アプリと同時に利用している他のアプリがあるか検索し、同時に利用している他のアプリがある場合、同時に利用している他のアプリを集計部１５に通知する。
【００３５】
集計部１５は、利用アプリ毎に、その利用アプリと同時に利用している他のアプリにポイントを加算する。例えば、他のアプリに固定の１ポイントを加算する。
【００３６】
以上の動作について、図４の具体例を挙げて、詳細に説明する。
【００３７】
図４は、ある携帯端末１０において、10:00-10:50にアプリＡが、10:10-10:30にアプリＢが、10:20-10:40にアプリＣが、10:40-10:50にアプリＢが、それぞれ利用された場合の例である。
【００３８】
図４に示すように、まず、10:00のアプリＡの起動時には、同時に利用しているアプリがないため、集計部１５は何もしない。
【００３９】
続いて、10:10のアプリＢの起動時には、アプリＡを同時に利用しているため、集計部１５は、アプリＢと同時利用しているアプリとして、アプリＡに１ポイントを加算する。また、集計部１５は、アプリＡと同時利用しているアプリとして、アプリＢに１ポイントを加算する。
【００４０】
続いて、10:20のアプリＣの起動時には、アプリＡとアプリＢを同時に利用しているため、集計部１５は、アプリＣと同時利用しているアプリとして、アプリＡに１ポイントを、アプリＢに１ポイントをそれぞれ加算する。また、集計部１５は、アプリＢと同時利用しているアプリとして、アプリＣに１ポイントを加算する。また、集計部１５は、アプリＡと同時利用しているアプリとして、アプリＣに１ポイントを加算する。
【００４１】
続いて、10:40のアプリＢの起動時には、アプリＡを同時に利用しているため、集計部１５は、アプリＢと同時利用しているアプリとして、アプリＡに１ポイントを加算する。また、集計部１５は、アプリＡと同時利用しているアプリとして、アプリＢに１ポイントを加算する。
【００４２】
このように、集計部１５は、自己の携帯端末１０にて利用された利用アプリ毎に、その利用アプリと同時に利用している他のアプリにポイントを加算し、その結果を記録媒体１１に記録する。図４の例におけるポイントは、以下のように推移することになる。
【００４３】
10:00時点
アプリＡと同時に利用：−
10:10時点
アプリＡと同時に利用：アプリＢ  １ポイント
アプリＢと同時に利用：アプリＡ  １ポイント
10:20時点
アプリＡと同時に利用：アプリＢ  １ポイント、アプリＣ  １ポイント
アプリＢと同時に利用：アプリＡ  １ポイント、アプリＣ  １ポイント
アプリＣと同時に利用：アプリＡ  １ポイント、アプリＢ  １ポイント
10:40時点
アプリＡと同時に利用：アプリＢ  ２ポイント、アプリＣ  １ポイント
アプリＢと同時に利用：アプリＡ  ２ポイント、アプリＣ  １ポイント
アプリＣと同時に利用：アプリＡ  １ポイント、アプリＢ  １ポイント
なお、以上の例では、集計部１５は、他のアプリに対し、固定で１ポイントを加算していたが、本発明はこれに限定されず、利用アプリの利用時間と他のアプリの利用時間とが重複する重複時間に比例したポイントを加算してもよい。
【００４４】
ただし、この場合、重複時間が確定するのは、利用アプリが終了した時点となるため、利用アプリの起動時ではなく、終了時にポイントを加算する。
【００４５】
例えば、アプリＡとアプリＢの関係では、10:10-10:30の間は、重複時間が２０分間であるため、10:30の時点で２ポイントを加算し、10:40-10:50の間は、重複時間が１０分間であるため、10:50の時点で１ポイントを加算する。
（２−２）集計サーバ２０のデータ集計動作
次に、集計サーバ２０が、ｎ台の携帯端末１０の各々にて集計されたデータを集計する場合の動作について説明する。
【００４６】
図５に示すように、まず、ｎ台の携帯端末１０の各々の集計サーバ接続部１２は、一定期間毎に、自己の携帯端末１０にて集計した利用アプリ毎の他のアプリのポイントのデータを記録媒体１１から読み出し、読み出したデータを集計サーバ２０に送信する。このデータは、集計サーバ２０の端末接続部２２で受信される（ステップＡ１）。
【００４７】
集計サーバ２０の集計部２３は、利用アプリ毎に、ｎ台の携帯端末１０の各々にて集計された他のアプリのポイントを集計し、他のアプリのうち集計ポイントが多い上位の所定数分のアプリを推奨アプリとして決定する。
【００４８】
その後、集計部２３は、利用アプリ毎の他のアプリの集計データと推奨アプリの識別情報を記録媒体２１に記録する（ステップＡ２）。
【００４９】
以上の動作について、図６の具体例を挙げて、詳細に説明する。
【００５０】
なお、図６においては、集計サーバ２０に３台の携帯端末１０−１，１０−２，１０−３が接続されており、集計ポイントが多い上位の３個分のアプリを推奨アプリとするものとする。
【００５１】
図６に示すように、３台の携帯端末１０−１，１０−２，１０−３の各々の集計サーバ接続部１２は、図中の左側に示した、利用アプリ毎の他のアプリのポイントのデータを、集計サーバ２０に送信する。
【００５２】
これを受けて、集計サーバ２０の集計部２３は、３台の携帯端末１０−１〜１０−ｎの各々にて集計された、利用アプリ毎の他のアプリのポイントを集計し、図中の右側に示した集計ポイントを得る。
【００５３】
ここで、例えば、アプリＡに着目すると、アプリＢ、アプリＤ、アプリＣ、アプリＥの順番に集計ポイントが多くなっている。
【００５４】
そのため、集計部２３は、アプリＡの利用時の推奨アプリとして、集計ポイントが多い上位の３個分のアプリＢ、アプリＤ、アプリＣを決定する。
（２−３）集計サーバ２０の推奨アプリの識別情報の送信動作
次に、集計サーバ２０が推奨アプリの識別情報を携帯端末１０に送信する場合の動作について説明する。
【００５５】
図７に示すように、集計サーバ２０の通信部３１は、一定期間毎に、利用アプリ毎の推奨アプリの識別情報を記録媒体２１から読み出し、読み出した識別情報を携帯端末１０に送信する。この識別情報は、携帯端末１０の集計サーバ接続部１２で受信される（ステップＢ１）。
【００５６】
利用アプリ毎の推奨アプリの識別情報を受信した携帯端末１０の集計サーバ接続部１２は、受信した識別情報を記録媒体１１に記録する（ステップＢ２）。
（２−４）携帯端末１０の推奨アプリの表示動作
次に、利用アプリ毎の推奨アプリの識別情報を受信した携帯端末１０が推奨アプリのアイコンを表示する場合の動作について説明する。
【００５７】
図８に示すように、アプリ起動終了確認部１３は、自己の携帯端末１０にてアプリ（利用アプリ）が起動されたことを確認すると、その旨をアイコン表示部１６に通知する（利用アプリ）。これを受けて、アイコン表示部１６は、自己の携帯端末１０にて起動された利用アプリと同時に利用する推奨アプリの識別情報を記録媒体１１から読み出す。
【００５８】
そして、アイコン表示部１６は、アプリを選択する画面において、推奨アプリのアイコンを表示する（ステップＣ２）。
【００５９】
このとき、例えば、アイコン表示部１６は、図９に示すように、推奨アプリのアイコンに縁取り枠を付けて上部に表示することが考えられる。
【００６０】
ただし、図９の例は、推奨アプリの表示方法の一例であり、これに限定されない。すなわち、推奨アプリは、上述のように、アイコンに縁取り枠を付けて上部に表示する以外にも、推奨アプリのアイコンだけを抜き出して表示したり、推奨アプリをアイコン以外の態様（例えば、単なる文字列等）で表示したりする等、所定の態様で表示すれば良い。
【００６１】
上述したように本実施形態においては、集計サーバ２０は、ｎ台の携帯端末１０の各々にて利用された利用アプリのデータを集計し、その集計結果に基づいて、携帯端末１０に利用を推奨する推奨アプリを決定し、推奨アプリの識別情報を携帯端末１０に送信する。
【００６２】
したがって、携帯端末１０を使用する利用者に対し、その利用者以外の他の利用者が利用するアプリを推奨することができるという効果が得られる。
【００６３】
以上、実施形態を参照して本発明を説明したが、本発明は上記実施形態に限定されものではない。本発明の構成や詳細には、本発明の範囲内で当業者が理解し得る様々な変更をすることができる。
【００６４】
例えば、本実施形態においては、ｎ台の携帯端末１０の各々は、利用アプリと同時に利用された他のアプリのデータを集計したが、本発明はこれに限定されない。
【００６５】
実際の利用シーンにおいては、利用アプリと同時に他のアプリを利用するケースに限らず、現在の利用アプリを一旦終了し、その後に他のアプリを起動して利用するケースも多いと考えられる。
【００６６】
そのため、ｎ台の携帯端末１０の各々は、利用アプリと同時に利用された他のアプリだけでなく、利用アプリの利用時間の前後の一定時間中に利用された他のアプリのデータも集計し、集計サーバ２０は、これらの集計結果を基に推奨アプリを決定するのが良い。
【００６７】
この場合、ｎ台の携帯端末１０の各々は、利用アプリと同時に利用された他のアプリに対し、上述のように、重複時間に比例したポイントを加算するに際しては、利用アプリの利用時間およびその利用時間の前後の一定時間と他のアプリの利用時間とが重複する重複時間に比例したポイントを加算すれば良い。
【符号の説明】
【００６８】
１０−１〜１０−ｎ    携帯端末
１１    記録媒体
１２    集計サーバ接続部
１３    アプリ起動終了確認部
１４    アプリ検索部
１５    集計部
１６    アイコン表示部
２０    集計サーバ
２１    記録媒体
２２    端末接続部
２３    集計部
３０    ネットワーク
【図１】
2012203536.tif 000003
【図２】
2012203536.tif 000004
【図３】
2012203536.tif 000005
【図４】
2012203536.tif 000006
【図５】
2012203536.tif 000007
【図６】
2012203536.tif 000008
【図７】
2012203536.tif 000009
【図８】
2012203536.tif 000010
【図９】
2012203536.tif 000011